(57)【要約】【課題】本発明の課題は、洗浄後、透析用のキャップ付き吸液チューブを乾燥させるときや、乾燥後、透析用のキャップ付き吸液チューブを収容したりするときに使用できる機能的で便利なキャップ付き吸液チューブ専用の掛け具及び該掛け具に用いるキャップ底支持具を提供することにある。【解決手段】  下方より、チューブ取り込み口(１０)を設けたキャップ底支持具（１６）により、キャップ付き吸液チューブの重心の真上に位置する硬質で丈夫なキャップ底（６）を水平に支え、キャップ付き吸液チューブを鉛直方向に吊り下げる。【選択図】    図１
2010184110.tif 000002
【特許請求の範囲】
【請求項１】
キャップ付き吸液チューブにおける連結部（２）周りのキャップ底（６）を下方より水平に支え且つキャップ付き吸液チューブのチューブ（１）を横から取り込めるチューブ取り込み口（１１）を有する保持部（Ｂ）と、保持部（Ｂ）より下方に伸びてキャップ深（d）寸法よりも長い足をもった脚部（Ｃ）とから構成されたものである、キャップ付き吸液チューブ用キャップ底支持具。
【請求項２】
キャップ底支持具（１６）を取り付ける板状のキャップ底支持具取り付け部材（１５）の外周側に、チューブ取り込み口(10)をキャップ底支持具取り付け部材（１５）に対して外向きになるようにキャップ底支持具（１６）を設けたものである、キャップ付き吸液チューブ掛け具。
【請求項３】
キャップ底支持具取り付け部材(１５)に、脚（１１）を設けたものであることを特徴とする、請求項２に記載のキャップ付き吸液チューブ掛け具。
【請求項４】
キャップ底支持具（１６）を取り付ける板状のキャップ底支持具取り付け部材（１５）の外周に切欠き（１１）を設け、その切欠き（１１）上に、チューブ取り込み口(10)をキャップ底支持具取り付け部材（１５）に対して外向きになるようにキャップ底支持具（１６）を設けたものである、キャップ付き吸液チューブ掛け具。
【請求項５】
キャップ底支持具取り付け部材(１５)に、脚（１１）を設けたものであることを特徴とする、請求項４に記載のキャップ付き吸液チューブ掛け具。
【請求項６】
キャップ底支持具（１６）を取り付ける板状のキャップ底支持具取り付け部材（１５）の内周に、チューブ取り込み口(10)をキャップ底支持具取り付け部材（１５）の内側を向くようにキャップ底支持具（１６）を設けたものである、キャップ付き吸液チューブ掛け具。
【請求項７】
キャップ底支持具取り付け部材(１５)に、脚（１１）を設けたものであることを特徴とする、請求項６に記載のキャップ付き吸液チューブ掛け具。
【請求項８】
キャップ底支持具（１６）を取り付ける板状のキャップ底支持具取り付け部材（１５）の内周に切欠き（１１）を設け、その切欠き（１１）上に、チューブ取り込み口(10)をキャップ底支持具取り付け部材（１５）の内側を向くようにキャップ底支持具（１６）を設けたものである、キャップ付き吸液チューブ掛け具。
【請求項９】
キャップ底支持具取り付け部材(１５)に、下方より支える脚（１１）を設けたものであることを特徴とする、請求項９に記載のキャップ付き吸液チューブ掛け具。
【発明の詳細な説明】
【技術分野】
【０００１】
本発明は、透析治療において使用するキャップ付き吸液チューブを乾燥するときや収容するとき等に使用する掛け具及び該掛け具用キャップ底支持具に関する。このキャップ付き吸液チューブは、個人用透析機に併置された透析用原液タンクからの原液汲み上げに使用され、温水洗浄後に乾燥し繰り返し使用される。
【背景技術】
【０００２】
透析治療において、多人数用透析機は透析用の原液を入れる原液タンクは本体にビュルトインされている。しかし、個人用透析器においては、個別の微妙な原液成分の調整を必要とするため、個人用に調整された透析用の原液を入れた原液タンクは透析機の隣に併置されている。透析用の原液は、透析機内に設けたポンプで本体付属の吸い込みホース及びこれに連結されるキャップ付き吸液チューブを介して外付けの原液タンクより吸い上げられる。図７及び図８に示すように、キャップ付き吸液チューブは、キャップ（Ａ）、チューブ（１）及び吸い込み口（５）とで構成されている。キャップ（Ａ）とフィルターの装着されたステンレス製の吸い込み口（５）は、チューブ（1）により連結されている。チューブ（１）は細いビニール、シリコン樹脂製で柔軟性に富み、長さはキャップ付き吸液チューブをタンク口（８）より挿入してキャップ（Ａ）部分をタンク口（８）にはめ込んだときに吸い込み口（５）が原液タンク（９）の底に届く程度としている。
【０００３】
このキャップ（A）はちょうど茶碗を逆さまにした形状で、下側に開く柔らかく弾性に富む合成樹脂製の軟質部（４）と上端側が滑り止め突起（７）も設けた硬い合成樹脂製の硬質部（３）とからなっている。キャップ底（６）の中央には、硬質部（３）を貫通する筒状の連結具（２）が設けられている。この連結具（２）の下端側はチューブ（１）の上端にはめ込まれ、上端側は透析機本体より伸び出る付属の吸い込みホース端に連結されている。そして、連結具（２）の長さはキャップ深（d）よりも短いものとしている。このキャップ付き吸液チューブは、チューブ（１）の下端側の吸い込み口（５）をタンク口（８）から原液タンク（９）内に差し込み、タンク口（８）にぴったりと密着するキャップ（A）の軟質部（４）をタンク口（８）にはめ込み使用する。
【０００４】
この個人用透析器で使用されるキャップ付き吸液チューブは、口腔吸引用チューブのような使い捨てではなく繰り返し使用されている。また、使用される数が少ないためウオッシャーデスインフェクターは使用されず、手作業による洗浄及び室内において自然乾燥されている。そのため、このキャップ付き吸液チューブは、使用後、温水で洗浄され乾燥される。洗浄されるとき、チューブ（１）などに残った原液をよりよく洗い流すためにキャップ（A）とチューブ１は分離され洗浄される。しかし、乾燥させるときは、キャップ（A）とチューブ（１）が連結された元の状態のままで行うことが常習となっている。それは、一体のときに比べて増えるパーツの管理や増えたパーツを乾燥させるときの繁雑さ等を考慮したものである。分離され、温水により洗浄され、水切りを終え、連結されたキャップ付き吸液チューブは、他のものとの接触をなるべく避けるためテーブル等の上に直接寝かせて乾すわけにはいかない。しかも、この長くて軟らかいチューブ（１）の付いたキャップ付き吸液チューブは、立てることも、もたせ掛けることもできず扱いにくいものである。そのため、洗浄したキャップ付き吸液チューブを乾燥させるために、透析治療の従事者は色々と知恵を絞り、透析室内にある点滴用スタンドや透析機等に付属するフック部分や突起部分等に、引っ掛け易いキャップ（A）の軟質部（４）の内側を引っ掛けて吊るしていた。或いは、少し工夫し、背の高い容器の上端に張り巡らせた針金上や、渡しかけた２本の棒等の間にキャップ（A）の軟質部（４）を渡し掛ける等して、掛け吊るしていた。
【０００５】
一方、乾燥したキャップ付き吸液チューブを収容できるような専用の収容掛け具も当然のことながら存在していなかった。そのため、乾し掛けた透析室内の点滴スタンドや透析機等に見られるフック部分や突出部分に、乾燥し終えたキャップ付き吸液チューブは掛けっ放しのまま次回の使用まで放置されることがあった。
【発明の開示】
【発明が解決しようとする課題】
【０００６】
以上のように長くて軟らかいチューブ（１）の付いたキャップ付き吸液チューブは、立てることも、もたせ掛けることもできないため、また洗浄後に他のものとの接触をなるべく避けるためにも、吊るし掛けて乾されていた。そのため、透析室内の身近にある点滴用スタンドや透析機等に付属するフック部分や突起部分等に吊るされたキャップ（A）の軟質部（４）は、変なくせがついていびつになったり、傷ついて破れたりした。また、小さな突出部に掛けられた本体は、機器等と接触し不衛生であった。他方、整理整頓の行き届く透析室内において、長いキャップ付き吸液チューブが周辺機器等の突出部に吊るし掛けられた光景は、透析を受ける患者に対しても甚だ体裁の悪いものであった。
【０００７】
同様に、工夫して、背の高い容器の上端に張り巡らせた針金や渡しかけた２本の棒の間に軟質部分（４）を渡し掛けて吊るすやり方等においてもキャップ（A）の軟質部分（４）は針金の跡が付いたり変形したり傷ついたりもした。また、キャップ（A）がちょっとした外力で針金や棒から外れてしまい、本体が容器の底や床等に落下することもよく起こった。そのため、再度洗浄、乾燥と、無駄な労力を要した。また乾し終えたキャップ付き吸液チューブの専用の便利な収容かけ具も存在しなかった。そのため、乾し掛けた透析室内の点滴スタンドや透析機等のフック部分や突出部分に掛けっ放しのまま次回の使用まで放置されることも度々であった。言わば、フック部分や突出部分の付いた透析室内の機器が、収容及び乾燥用の掛け具でもあった。
【０００８】
本発明が解決しようとする課題は、洗浄後のキャップ付き吸液チューブを乾燥させるときに使用したり、乾燥後のキャップ付き吸液チューブを収容したりすることもできる機能的で便利なキャップ付き吸液チューブ専用の掛け具及び該掛け具に用いるキャップ底支持具を提供することにある。
【課題を解決するための手段】
【０００９】
発明者は、前記の課題を解決するにはどのようにすればよいかとあれこれ思案し、キャップ付き吸液チューブの硬くて丈夫な硬質部（３）のキャップ底（６）に着目できた。そして、このキャップ底（６）を下方から支持する手段により本発明を完成することができた。本発明に係るキャップ付き吸液チューブ掛け具及び該掛け具用キャップ底支持具は、次のようなものである。
まず、本発明に係るキャップ底支持具（１６）は、キャップ付き吸液チューブにおける連結部（２）周りのキャップ底（６）を下方より水平に支え且つキャップ付き吸液チューブのチューブ（１）を横から取り込めるチューブ取り込み口（１１）を有する保持部（Ｂ）と、保持部（Ｂ）より下方に伸びてキャップ深（d）寸法よりも長い足をもった脚部（Ｃとから構成されたものである。
【００１０】
次にキャップ付き吸液チューブ掛け具は、キャップ底支持具（１６）を取り付ける板状のキャップ底支持具取り付け部材（１５）の外周側に、チューブ取り込み口(10)をキャップ底支持具取り付け部材（１５）に対して外向きになるようにキャップ底支持具（１６）を設けたものである。そして、このもののキャップ底支持具取り付け部材(１５)に下方より支える脚部（１１）を設けたりしたものである。
【００１１】
または、キャップ底支持具（１６）を取り付ける板状のキャップ底支持具取り付け部材（１５）の外周に切欠き（１１）を設け、その切欠き（１１）上に、チューブ取り込み口(10)をキャップ底支持具取り付け部材（１５）に対して外向きになるようにキャップ底支持具（１６）を設けたものである。そして、このもののキャップ底支持具取り付け部材(１５)に脚（１１）を設けたりしたものである。
【００１２】
または、キャップ底支持具（１６）を取り付ける板状のキャップ底支持具取り付け部材（１５）の内周に、チューブ取り込み口(10)をキャップ底支持具取り付け部材（１５）の内側を向くようにキャップ底支持具（１６）を設けたものである。そして、このもののキャップ底支持具取り付け部材(１５)に脚（１１）を設けたりしたものである。
【００１３】
または、キャップ底支持具（１６）を取り付ける板状のキャップ支持具取り付け部材（１５）の内周に切欠き（１１）を設け、その切欠き（１１）上に、チューブ取り込み口(10)をキャップ底支持具取り付け部材（１５）の内側を向くようにキャップ底支持具（１６）を設けたものである。そして、このもののキャップ底支持具取り付け部材(１５)に脚（１１）を設けたりしたものである。
【００１４】
以上に示したキャップ付き吸液チューブ掛け具及び該掛け具用キャップ底支持具は次のように使用する。キャップ底支持具（１６）は、短いパイプの周壁一部を縦方向に切り取った形状で、外径はキャップ付き吸液チューブのキャップ底(6)の径よりも小さく、高さ寸法はキャップ（A）のキャップ深(d)よりも大きい。切り取られパイプの縦方向に開けられたチューブ取り込み口（１０）は、幅をチューブ(１)の外径よりも大きなものとし、テーブルの外側を向いている。テーブル上面の外端より三分の二以上がせり出し、底部の一部がテーブル(３１)に固定されたキャップ底支持具(１６)のチューブ取り込み口（１０）より、チューブ（１）を水平にいれ込みキャップ底（６）をキャップ底支持具（６)上に落とし込む。すると、硬くて丈夫なキャップ底(６)は、キャップ底支持具(１６)の上端全面にわたり当接する。
【００１５】
パイプ状のキャップ底支持具(１６)は高さも十分にあり、またテーブル(３１)の高さも十分にあるため、キャップ（Ａ）の軟質部(４)はテーブル面に触れることもない。また、下端側の吸い込み口(５)が床に触れたりするようなこともなく、キャップ付き吸液チューブは硬く丈夫なキャップ底(６)を水平にしかりと保持され綺麗に鉛直方向に吊り下げられることとなる。前後左右からの外力が作用するようなことがあっても、キャップ(A)のキャップ底(６)より下方に伸びる軟質部(４)の内側上端部がキャップ底支持具(１６)の上端に当たり、キャップ付き吸液チューブは掛け具より容易に外れ落ちるようなことはない。外すときは、キャップ（Ａ）の硬質部（３）を少しつまみ上げキャップ付き吸液チューブを手前に引き出すだけでよい。簡単操作でキャップ付き吸液チューブの掛け外しができる。
【発明の効果】
【００１６】
請求項1に記載のキャップ付き吸液チューブ用キャップ底支持具においては、キャップ付き吸液チューブの硬質部（３）のキャップ底（６）が下方から水平に支えるため、キャップ付き吸液チューブはしっかりと保持され鉛直方向に綺麗に吊り下がり、周りのものと接触することもない。また、損傷するようなこともなく、外れ落ちるようなこともない。そして、キャップ付き吸液チューブの掛け外しも実に簡単に行える機能的で便利なキャップ付き吸液チューブ専用のキャップ底支持具（１６）である。
キャップ底支持具（16）を多数、板状のキャップ底支持具取り付け部材（１５）の外周や内周に設けた請求項２〜９に記載のキャップ付き吸液チューブ掛け具においては、上述のキャップ底支持具（１６）みられる長所に加え、場所をとらずに多数のキャップ付き吸液チューブを整然と掛け吊るしたり、効率的に掛け外したりするこことができる。洗浄後や乾燥後のキャップ付き吸液チューブを干したり収容したりできる機能的で便利な専用掛け具として利用できる。
【発明を実施するための最良の形態】
【００１７】
本発明の実施をするための最良の形態を図１，図２、図７及び図８に基づいて説明する。このものの上部は、支柱（１９）と基台（２０）とからなる脚（１１）に支えられている。基台（２０）は、円形で板状である。この基台（２０）の底部には滑り止めとして薄いラバーシート（２１）を貼り付け、上部側は平面でなく外周部が少し盛り上がり、キャップ付き吸液チューブよりしたたり落ちる水滴を受ける受け皿ともなっている。そのため表面は防水加工がされている。円形の基台（２０）の中心からは、丸棒の支柱（１９）が垂直に立ち上がり、上端側にスラスト転がり軸受け（１８）を取り付けている。この支柱（１９）の高さは、キャップ付き吸液チューブの全長よりも長いものとし吸い込み口（５）が基台（２０）に接触しないようにしている。
【００１８】
スラスト転がり軸受け(１８)の下端側は、支柱(１９)上端に設けた正方形の取り付け板(２２)にビスで固定され、上端側はキャップ底支持具取り付け部材(１５)の裏面に同様にビスで固定されている。スラスト転がり軸受け(1８)のセンターは、支柱（１９）及びキャップ底支持具取り付け部材（１５）のセンターと一致している。最上端の位置するキャップ底支持具取り付け部材（１５）は、円形の薄い板状で、外周より中心に向かい8箇所の切欠き（１７）を設けている。それぞれの間隔は、キャップ（A）が余裕を持って収まる広さとしている。この切欠いた入り口が滑らかな略U字形の切欠き（１７）は、円周を８等分した位置に設け，幅寸法はキャップ付き吸液チューブのチューブ（１）の外径寸法よりも十分に大きなものとし、深さはキャップ（A）の幅寸法くらいとしている。
【００１９】
そして、この切欠き(１７)上にキャップ底支持具(１６)が固定されている。このキャップ底支持具(１６)は、短い円筒の縦方向の周壁の一部を取り除きチューブ取り込み口（１０）を形成している。そして、高さ寸法がキャップ付き収液チューブのキャップ深(d)すなわちキャップの深さ寸法よりも十分に大きく、外径がキャップ底(６)の外径よりも十分小さく、チューブ(１)の外径寸法よりも大きな幅で縦方向の周壁が取り除かれている。上端がキャップ底（６）を支える保持部（Ｂ）となり、周壁が脚部（Ｃ）となっている。このキャップ底支持具(１６)のチューブ取り込み口（１０）は、円板であるキャップ底支持具取り付け部材(１５)の外側に向けられている。８個のキャップ底支持具(１６)は、キャップ底支持具(１６)の中心が切欠き(１７)の最深部辺りに位置するように、それぞれ固定されている。
【００２０】
以上に示したキャップ付き吸液チューブ掛け具により、原液タンク(９)内で原液の吸液を済ませて温水で綺麗に洗浄されたキャップ付き吸液チューブを乾燥させるときは次のように行う。テーブル上の隅に配置されたキャップ付き吸液チューブ掛け具の横から、硬質部(３)をつまんだキャップ付き吸液チューブのチューブ(１)上部を円形のキャップ底支持具取り付け部材(１５)の外周にあてがい、滑らかな曲線状の入り口より切り欠き(１７)の最深部に当たるまで水平に滑り込ませ、キャップ底（６）を小さなキャップ底支持具(１６)上に落とし込む。すると、硬いキャップ底(６)は、キャップ底支持具(１６)の上端全面にわたり当接する。このとき、切欠き(１７)の入り口は曲線状で滑らかであるためスムーズにチューブ(１)をキャップ底支持具(１６)内に滑り込ませることができる。
【００２１】
軟質部（４）はキャップ底支持具取り付け部材(１５)に触れることなく、下部の吸い込み口(５)もチューブ(１)も基台(２０)及び支柱(１９)に触れるようなこともない。そして、キャップ付き吸液チューブは硬くて丈夫なキャップ底(６)を水平に支持されて整然と綺麗に鉛直方向に吊り下げられることとなる。そして、洗浄し終えた多くのキャップ付き吸液チューブを次々と、滑らかに回動するキャップ底支持具取り付け部材(１５)を回しながら掛け吊るす。また、乾燥し終えたキャップ付き吸液チューブを使用するときも同様に、キャップ底支持具取り付け部材(１５)を回しながら取り外す。壁側に位置しているような取りにくいキャップ付き吸液チューブもキャップ底支持具取り付け部材(１５)を回して容易に取り外すことができる。このように狭い空間も有効に利用できる。そして、横からの外力が作用するようなことがあっても、キャップ(A)のキャップ底(６)より下方に伸びる軟質部(４)の内側がキャップ底支持具(１６)の上端に当たり、キャップ付き吸液チューブは掛け具より容易に外れ落ちるようなことはない。またこのものは、乾燥させるときばかりでなく、収容しにくいキャップ付き吸液チューブの場所をとらない収容掛け具としても利用できる。この実施例においては、キャップ底支持具取り付け部材(１５)は一段としているが適当な間隔を開けて2段、三段と回動するキャップ底支持具取り付け部材(１５)を設けることも可能である。又、本体を覆いつくす合成樹脂製等の円筒形の防塵用のフードを設けたり、乾燥時間を短縮するために全体を覆うカバーの内部に電熱器を設ける手段やキャップ底支持具取り付け部材(１５)をモーターで回転させたりする手段も採用できる。
【実施例１】
【００２２】
実施例１を図３、図７及び図８に基づいて説明する。このものは、上述のような自立するキャップ付き吸液チューブ掛け具ではなく、キャップ底支持具取り付け部材(１５)に相当する透析機器等の本体外部側壁等に、キャップ底支持具（１６）を取り付け使用する掛け具である。キャップ(A)のキャップ底(６)を支持するキャップ底支持具(１６)は、丸棒製の円形リングの一部を切り取ってチューブ取り込み口（１０）とし、その切り取った部分より円周上の四分の一の辺りの位置で下方に延びる丸棒を設けた簡単な形状となっている。リングは、チューブ（１）径よりも大きな寸法で一部が切り取られている。リングの外径はキャップ底(６)の径よりも小さく、下方に延びる丸棒は、リング面に垂直に取り付けられ、キャップ(A)のキャップ深(d)寸法よりも長くしている。更にこの丸棒の下端よりリングの反対方向に水平に延び出る丸棒の先端側には雄ねじ(２６)を設けている。そして、雄ねじ(２６)部分を透析機器等の外部側壁に設けてある雌ねじ(２７)にねじ込められるようにしている。このもののキャップ底支持具（１６）の保持部（Ｂ）はリングとなり、脚部は（Ｃ）は下方に伸びる丸棒や水平に伸び出る丸棒となっている。
【００２３】
実施例１に示したものは、次のように使用する。リングが水平になるように、雌ねじ(２７)にきつくねじこまれたキャップ底支持具（１６）の横から、キャップ(A)の硬質部(３)をつまんだチューブ(１)の上部をキャップ底支持具(１６)のチューブ取り込み口（１０）より水平に差し入れ、キャップ底(６)を小さなリング上に落とし込む。すると、硬いキャップ底(６)は、リングの上端全面にわたり当接する。下方及び水平に伸びる丸棒の長さや機器本体の外部に設けた雌ねじ(２７)の高さは十分にあるため、軟質部(３)は外部のものと接触することもなく、また下部の吸い込み口(５)は床に触れたりチューブ(１)が機器本体に触れたりするようなこともなく、キャップ付き吸液チューブは硬い損傷しにくいキャップ底(６)を水平に支持され綺麗に鉛直方向に吊り下げられることとなる。
【実施例２】
【００２４】
実施例２を図４、図７及び図８に基づいて説明する。このものも、自立するキャップ付き吸液チューブ掛け具ではなく、キャップ底支持具(１６)をキャップ底支持具取り付け部材(１５)に相当するテーブル上面の外端側に接着したキャップ付き吸液チューブ掛け具である。キャップ底支持具(１６)は、テーブル上面の外端より三分の二以上がせり出し、底部の一部がテーブル(３１)に固定されている。キャップ付き吸液チューブのキャップ底(６)を支持するキャップ底支持具(１６)は、塩化ビニール製の短いパイプの周壁一部を縦方向に切り取った形状となっている。このパイプの外径はキャップ底(6)の径よりも小さく、高さ寸法は、キャップ（A）のキャップ深(d)よりも大きくしている。そして、背の低いパイプの縦方向に開けられたチューブ取り込み口（１０）は、幅をチューブ(１)の外径よりも大きなものとし、テーブルの外側を向いている。このもののキャップ底支持具（１６）の脚部は（Ｃ）は短いパイプの周壁一部を縦方向に切り取った形状のものとなり、保持部（Ｂ）はこの短いパイプの上端となっている。
【００２５】
実施例２に示したものは、次のように使用する。テーブル上面の外端より三分の二以上がせり出し、底部の一部がテーブル(３１)に固定されたキャップ底支持具(１６)上に、キャップ底支持具（６)に落とし込む。すると、硬いキャップ底(６)は、キャップ底支持具(１６)の上端全面にわたり当接する。パイプ状のキャップ底支持具(１６)は高さも十分にあり、またテーブル(３１)の高さも十分にあるため、軟質部(４)はテーブル面にふれない。また、吸い込み口(５)が床に触れたりするようなこともなく、キャップ付き吸液チューブは硬く損傷しにくいキャップ底(６)を水平に支持され綺麗に鉛直方向に吊り下げられることとなる。
【実施例３】
【００２６】
実施例３を図5、図７及び図８に基づいて説明する。このものも、自立するキャップ付き吸液チューブ掛け具ではなく、キャップ底支持具取り付け部材(１５)に相当するテーブル等の上面外端側にキャップ底支持具(１６)のくぎネジ(３０)をねじ込み固定している。キャップ付き吸液チューブのキャップ底(６)を支持するキャップ底支持具(１６)は、水平に配置される薄い小さな円形の鉄板上に大きなチューブ取り込み口（１０）を設け、チューブ取り込み口（１０）の延長方向の円周側に、下方に向けて延びる細い棒を設けた形状としている。また、細い棒の先端側はくぎネジに加工されている。この鉄板の直径は、キャップ底(６)の径よりも小さい。切り込み部(１８)の寸法幅はチューブ(１)の外径よりも大きく、奥行きは、円形の鉄板径の三分の二ぐらいとしている。下方に延びる細い棒の長さは、キャップ付き吸液チューブのキャップ深’(d)よりも大きな寸法としている。このもののキャップ底支持具（１６）の保持部（Ｂ）は薄い小さな円形の鉄板上に大きな設切り込み部(１８)設けたものとなり、脚部は（Ｃ）は下方に伸びるくぎねじ（３０）となっている。
【００２７】
実施例３に示したものは次のように使用する。キャップ底支持具(１６)のチューブ取り込み口（１０）がテーブルの外側を向くように、テーブル上面のふち際にくぎネジ(３０)でねじ込まれて固定されたキャップ底支持具(１６)の切り込み部(１８)のチューブ取り込み口（１０）よりチューブ（１）の上部を水平に入れ、キャップ底(６)落とし込む。すると、硬いキャップ底(６)は、キャップ底支持具(１６)の切り込んだ鉄板の全面にわたり当接する。このキャップ底支持具(１６)は高さも十分にあり、またテーブルの高さも十分にある。そのため、キャップ(A)の軟質部(４)はテーブルの上面に触れることもなく、チューブや（１）や吸い込み口(５)がテーブルや床に触れたりするようなこともない。硬く損傷しにくいキャップ底(６)は水平に支持されてキャップ付き吸液チューブは鉛直方向に綺麗に吊り下げられることとなる。
【実施例４】
【００２８】
実施例４を図６、図７及び図８に基づいて説明する。このものも自立するキャップ付き吸液チューブ掛け具ではない。背の低いパイプを縦割りにした２片のキャップ底支持(１６)を、チューブ(１)の外径寸法よりも十分に大きな幅をもった切欠き(１７)を挟み、キャップ底支持具取り付け部材(１５)上に固定対峙させている。このキャップ底支持具(１６)の高さは、キャップ(A)の軟質部(4)の底部が接触しないように、キャップ付き吸液チューブのキャップ深(d)よりも十分に大きな寸法高さとしている。そして対峙する二つのキャップ底支持具(１６)で形成する大きさは、キャップ底(６)が余裕をもってはまり込む大きさとし、チューブ取り込み口（１０）を形成している。このもののキャップ底支持具（１６）の脚部（Ｃ）は背の低いパイプを縦割りにしたものとなり、保持部（Ｂ）は縦割りにしたパイプの上端となっている。
実施例４に示したものの使い方は明らかなので説明を省く。また、このものは次のような構成とすることもできる。すなわち、切欠き(１７)を、直線状・曲線状等に延長し、切欠き(17)の両サイドにキャップ底支持具(１６)を対峙させ、多数のキャップ付き吸液チューブを吊り掛けることもとできる。
【実施例５】
【００２９】
実施例5を図９、図7及び図8に基づいて説明する。このものも自立するキャップ付き吸液チューブ掛け具ではない。ポール用取り付け穴(３１)をイルリガートルスタンド等のパイプ等に差し込み、適当な高さで固定し使用する掛け具である。薄い円板の内側をくり貫いたドーナツ形であるキャップ底支持具取り付け部材(15)には、内周より外周に向かい均等に割り振られた４箇所の切欠き(１７)を設けている。この切欠き(１７)は、チューブ(1)の外径よりも大きな幅の平行部とキャップ底支持具(１６)がすっぽりとはまり込む円形部とからなる鍵穴状のものとしている。切欠き(１７)のそれぞれ間隔は、円形部にはめ込み固定したキャップ底支持具（１６）にキャップ付吸液チューブのキャップ(A)が余裕を持って収まる広さとしている。
【００３０】
このキャップ底支持具(１６)は、短い円筒の縦方向の周壁の一部を取り除いた形状で、高さ寸法がキャップ付き吸液チューブのキャップ深(d)の寸法よりも十分に大きく、外径がキャップ底(６)の外径よりも小さく、チューブ(１)の外径寸法よりも大きな幅で縦方向の周壁が取り除かれている。このキャップ底支持具(１６)のチューブ取り込み口（１０）は、ドーナツ形であるキャップ底支持具取り付け部材(１５)の中心側に向けられている。４個のキャップ底支持具(１６)は、高さを十分に確保して切欠き(１７)の円形部分に丁度はまり込み固定されている。このもののキャップ底支持具（１６）の脚部（Ｃ）は短い円筒の縦方向の周壁の一部を取り除いた形状のものとなり、保持部（Ｂ）は縦方向の周壁の一部を取り除いた円筒の上端となっている。
【００３１】
以上に示したキャップ付き吸液チューブ掛け具は、ポール用取り付け穴(3１)をスタンドポール等に差し込み適当な高さで固定して次のように使用する。掛け具の上部から、硬質部(３)をつまんだキャップ付き吸液チューブをドーナツ型のキャップ底支持具取り付け部材(１５)の内側に下げ入れ、チューブ(１)を内周にあてがい、切欠き(１７)へ水平に滑り込ませ、キャップ底(６)を小さなキャップ底支持具(１６)上に落とし込む。すると、硬くて丈夫なキャップ底(６)は、キャップ底支持具(１６)の上端全面にわたり当接する。外すときは本体を十分に持ち上げ、ドーナツ型のキャップ底支持具取り付け部材(１５)の外側にとり出す必要がある。軟質部(４)はキャップ底支持具取り付け部材(１５)に触れない。キャップ(A)が外力により前後左右に押されても軟質部(4)の内側がキャップ底支持具(１６)の上端にあたるためキャップ(A)側は外れ落ちることはない。
【００３２】
そして、軟質部（４）はドーナツ形のキャップ底支持具取り付け部材(15)に触れることもなく、下方の吸い込み口(５)もチューブ(１)もポールに触れるようなこともない。キャップ付き吸液チューブは硬くて損傷しにくいキャップ底(６)を水平に支持され整然と鉛直方向に吊り下げられることとなる。そして、このものは内周側にキャップ底支持具(１６)を設けてあるため、回転タイプではなく長方形等の外周側にキャップ底支持具(１６)を設けたタイプのものと比べると、面倒な反対側の掛け外しが容易にできる長所をもつ。回して反対側のキャップ付き吸液チューブを取り外しできる上述のキャップ底支持具取り付け部材(１５)が回動するタイプと同様の効果がある。またこのものも、乾燥させるときばかりでなく、収容しにくいキャップ付き吸液チューブの場所をとらない収納掛け具としても利用できる。
【実施例６】
【００３３】
実施例６を図10、図７及び図８に基づいて説明する。このものも自立するキャップ付き吸液チューブ掛け具ではない。実施例５の短所である、キャップ付吸液チューブを上部から出し入れする面倒な操作を廃して簡単に横からの出し入れ可能としたものである。キャップ底支持具取り付け部材(１５)である開口部を持つ略C字形の薄い板の内周には、外側に向かって設けた切欠き(１７)を設けている。この切欠き(１７)は内周より外周に向かい、6箇所に均等に割り振られ設けられている。この切欠き(１７)は、チューブ(1)の外径よりも大きな幅の平行部とキャップ底支持具(１６)がすっぽりとはまり込む円形部とからなる鍵穴状のものとしている。切欠き（１７）のそれぞれ間隔は、円形部にはめ込み固定したキャップ底支持具（１６）にキャップ付吸液チューブのキャップ(A)が余裕を持って収まる広さとしている。
【００３４】
このキャップ底支持具１６は、短い円筒の縦方向の周壁の一部を取り除いた形状で、高さ寸法がキャップ付き吸液チューブのキャップ深(d)の寸法よりも十分に大きく、外径がキャップ底(６)の外径よりも小さく、チューブ(１)の外径寸法よりも大きな幅で縦方向の周壁が取り除かれている。このキャップ底支持具(１６)のチューブ取り込み口(１０)は、略C字形であるキャップ底支持具取り付け部材(１５)の内側に向けられている。６個のキャップ底支持具(１６)は、切欠き(１７)の円形部分に丁度はまり込み固定されている。このもののキャップ底支持具（１６）の脚部（Ｃ）は短い円筒の縦方向の周壁の一部を取り除いた形状のものとなり、保持部（Ｂ）は縦方向の周壁の一部を取り除いた円筒の上端となっている。
【００３５】
以上に示したキャップ付き吸液チューブ掛け具は、透析機等の側壁等の適切な高さに設けられた取り付け部材に、取り付けボルト穴(３２)を介して固定して使用する。掛け具の横から、硬質部(３)をつまんだチューブ(１)上部を略C型のキャップ底支持具取り付け部材(１５)の開口部より水平に内側に入れ、内周にあてがい切欠き(１７)へ滑り込ませ、キャップ底(６)を小さなキャップ底支持具(１６)上に落とし込む。すると、硬いキャップ底(６)は,キャップ底支持具(１６)の上端全面にわたり当接する。軟質部(４)はキャップ底支持具取り付け部材(１５)に触れない。キャップ(A)側を前後左右に動かしても軟質部(4)の内側がキャップ底支持具(１６)の上端にあたるためキャップ(A)側は外れ落ちることはない。そして、チューブ(１)も略C形のキャップ底支持具取り付け部材（１５）に触れることはない。また、下部の吸い込み口(５)もチューブ(１)も透析機本体等に触れるようなこともなく、キャップ付き吸液チューブは硬くて損傷しにくいキャップ底(６)を水平に支持され整然と鉛直方向に吊り下げられることとなる。
【００３６】
以上のように、このものは実施例５の短所であるキャップ付吸液チューブを上部から出し入れする面倒な操作を廃して横からの出し入れを可能としたものである。また、実施例５と同様、キャップ底支持具取り付け部材(１５)の内側にキャップ底支持具(１６)を設けてあるため、回転タイプではない長方形等の外周側にキャップ底支持具(１６)を設けたタイプのものと比べると、面倒な反対側の掛け外しも容易にできる。そのため、回して反対側のキャップ付き吸液チューブを取り外しできる上述のキャップ底支持具取り付け部材(１５)が回動するタイプと同様の効果がある。このものも、乾燥させるときばかりでなく、収容しにくいキャップ付き吸液チューブの場所をとらない収容掛け具としても利用できる。
【実施例７】
【００３７】
実施例７を図１１、図１２、図７及び図８に基づいて説明する。このものは、キャップ底支持具取り付け部材（１５）に脚（１１）を設けた自立するキャップ付き吸液チューブ掛け具である。キャップ底支持具(１６)は、上端に位置し手向かい合う2つのキャップ底支持具取り付け部材（１５）の先端側にそれぞれ3本ずつ設けられ、同寸法の背が低くて細い棒状体となっている。細長い一枚の板を幅広の枠状に折り曲げ、板の両端上に固定対峙させたものである。尚、この折り曲げた板の両端は箱の上面中央で向かい合いチューブ取り込み口（１１）を形成し、底部及び側面は脚（１１）を形成し、この上面部はキャップ底支持具取り付け部材（１５）、（１５）となっている。そして、この向かい合う間隔は、チューブ(１)の外径寸法よりも十分に大きな幅としている。
【００３８】
また、キャップ付き吸液チューブのキャップ底（６）を支えるこれら棒状体の高さは、乗せ掛けられたキャップ(A)の軟質部(4)の底部がキャップ底支持具取り付け部材(１５)に接触しないように、キャップ付き吸液チューブのキャップ深(７)よりも十分に大きな寸法高さとしている。そして対峙する棒状体のキャップ底支持具（１６）で丸型に形成する大きさは、キャップ底(６)が余裕をもってはまり込む大きさとしている。このもののキャップ底支持具（１６）の脚部（Ｃ）は背の低くて細い棒状体となり、保持部（Ｂ）は背の低くて細い棒状体の上端となっている。
【００３９】
以上に示したキャップ付き吸液チューブ掛け具は、次のように使用する。テーブル等に置かれた掛け具の横から、硬質部(３)をつまんだチューブ(１)上部をチューブ取り込み口(１０)より水平に内側に入れ、キャップ底(６)を棒状体で丸型の形成されているキャップ底支持具(１６)上に落とし込む。すると、硬くて丈夫なキャップ底(６)は,6本の棒状のキャップ底支持具(１６)の上端に当接する。軟質部(４)はキャップ底支持具取り付け部材(１５)に触れない。キャップ(A)に前後左右からの外力が作用しても軟質部(4)の内側がキャップ底支持具(１６)の上端にあたるためキャップ付き吸液チューブは外れ落ちることはない。またチューブ(１)はキャップ底支持具取り付け部材（１５）に触れることはない。同様に、下部の吸い込み口(５)もチューブ(１)も透析機本体等に触れるようなこともなく、キャップ付き吸液チューブは硬くて損傷しにくいキャップ底(６)を水平に支持され整然と鉛直方向に吊り下げられることとなる。このものの構造はきわめて簡単であるため安価に製造可能である。又、上述の実施例同様、乾燥させるときばかりでなく、収容しにくいキャップ付き吸液チューブの場所とらない収容掛け具としても利用できる。
【図面の簡単な説明】
【００４０】
【図１】発明を実施するための最良の形態を示す正面図である。
【図２】発明の実施するための最良の形態を示す平面図である。
【図３】実施例１を示す正面図である。
【図４】実施例２を示す斜視図である。
【図５】実施例３を示す斜視図である。
【図６】実施例４を示す斜視図である。
【図７】キャップ付き吸液チューブを示す部分断面正面図である。
【図８】透析用原液タンク９を示す斜視図である。
【図９】実施例5を示す平面図である。
【図１０】実施例6を示す平面図である。
【図１１】実施例7を示す平面図である。
【図１２】実施例7を示す側面図である。
【符号の説明】
【００４１】
Ａ    キャップ
Ｂ    保持部
Ｃ    脚部
１    チューブ
２    連結具
６    キャップ底
d    キャップ深
１０  チューブ取り込み口
１１  脚
１５  キャップ底支持具取り付け部材
１６  キャップ底支持具
１７  切欠き
【図１】
2010184110.tif 000003
【図２】
2010184110.tif 000004
【図３】
2010184110.tif 000005
【図４】
2010184110.tif 000006
【図５】
2010184110.tif 000007
【図６】
2010184110.tif 000008
【図７】
2010184110.tif 000009
【図８】
2010184110.tif 000010
【図９】
2010184110.tif 000011
【図１０】
2010184110.tif 000012
【図１１】
2010184110.tif 000013
【図１２】
2010184110.tif 000014